(57)【要約】【課題】カートリッジや作用部材が破損することを抑制できる画像形成装置を提供すること。【解決手段】  トップカバー５２の開閉動作に連動して、現像カップリング４５に対する本体側現像カップリング５６の連結、および、感光ドラム１１の左側のフランジ部材４１に対する本体側ドラムカップリング５５の連結を解除するプリンタ１において、トップカバー５２を閉鎖位置から開放位置へ揺動させる途中で、現像カップリング４５に対する本体側現像カップリング５６の連結解除、および、感光ドラム１１の左側のフランジ部材４１に対する本体側ドラムカップリング５５の連結解除を完了する。【選択図】図１２
2014071367.tif 000002
【特許請求の範囲】
【請求項１】
装置本体と、前記装置本体に対して着脱可能なカートリッジとを備える画像形成装置であって、
前記装置本体は、前記カートリッジを着脱させるための開口部を有し、前記カートリッジを収容するように構成される第１フレームと、前記第１フレームに対して揺動するように構成される第２フレームとを備え、
前記第１フレームは、
前記カートリッジに作用するように構成される作用部材と、
前記作用部材を前記カートリッジに作用させる作用位置と、前記作用部材の前記カートリッジに対する作用を解除する作用解除位置とに移動可能な移動部材と、
前記第２フレームの揺動に連動して前記移動部材を移動させるように構成される連動手段と
を備え、
前記第２フレームは、
前記開口部を閉鎖する閉位置と、
前記開口部から第２フレームを離間する第１開位置と、
前記第１開位置よりも前記開口部から離間され、前記開口部を開放する第２開位置と
に、揺動可能であり、
前記連動手段は、
前記第２フレームを前記閉位置から前記第１開位置へ揺動させるときに、前記移動部材を前記作用位置から前記作用解除位置へ移動させるように、前記第２フレームと前記移動部材とを連動させ、
前記第２フレームを前記第１開位置から前記第２開位置へ揺動させるときに、前記第２フレームと前記移動部材との連動を解除する
ことを特徴とする、画像形成装置。
【請求項２】
前記連動手段は、前記移動部材を押圧するように構成される押圧部を有し、
前記移動部材は、前記第２フレームが前記閉位置から前記第１開位置へ揺動されるときに、前記押圧部によって押圧され、前記第２フレームが前記第１開位置から前記第２開位置へ揺動されるときに、前記押圧部からの押圧力を受けないように構成される被押圧部を有する
ことを特徴とする、請求項１に記載の画像形成装置。
【請求項３】
前記押圧部および前記被押圧部のいずれか一方は、凹部であり、
前記押圧部および前記被押圧部のいずれか他方は、前記凹部内に嵌合可能に構成される凸部である
ことを特徴とする、請求項２に記載の画像形成装置。
【請求項４】
前記被押圧部は、凹部であり、
前記押圧部は、前記凹部内に嵌合可能に構成される凸部である
ことを特徴とする、請求項３に記載の画像形成装置。
【請求項５】
前記連動手段は、
前記第１フレームに対して揺動可能に支持され、前記第２フレームに連結される第１揺動部材と、
前記押圧部を有し、前記第１揺動部材に対して間隔を隔てるように前記第１フレームに対して揺動可能に支持される第２揺動部材と、
前記第１揺動部材と前記第２揺動部材とを連結する連結部材と
を備え、
前記連結部材は、前記第２揺動部材の前記第１フレームに対する揺動支点と、前記押圧部との間において、前記第２揺動部材に連結されている
ことを特徴とする、請求項４に記載の画像形成装置。
【請求項６】
前記被押圧部は、
前記第２揺動部材の揺動軌跡に交差する方向に延びる第１壁と、
前記第１壁に連続し、前記第２揺動部材の揺動軌跡に沿う方向に延びる第２壁と
を備える
ことを特徴とする、請求項５に記載の画像形成装置。
【請求項７】
前記移動部材を前記作用位置から前記作用解除位置へ向かって付勢する付勢部材を備える
ことを特徴とする、請求項１ないし６のいずれか一項に記載の画像形成装置。
【請求項８】
前記第１フレームは、
前記作用部材と異なる部分において、前記カートリッジに作用するように構成される第２作用部材と、
前記第２作用部材を前記カートリッジに作用させる第２作用位置と、前記第２作用部材の前記カートリッジに対する作用を解除する第２作用解除位置とに移動可能な第２移動部材と、
前記移動部材が前記作用位置から前記作用解除位置へ移動されるときに、前記第２移動部材を前記第２作用位置から前記第２作用解除位置へ移動させる第２連動手段と
を備える
ことを特徴とする、請求項１ないし７のいずれか一項に記載の画像形成装置。
【請求項９】
前記第２連動手段は、
前記移動部材に連結される連結部と、
前記第２移動部材に係合される係合部と、
前記連結部と前記係合部との間に配置され、前記第１フレームに揺動可能に支持される支持部と
を備え、
前記移動部材は、その移動方向と直交する方向に延びるように、前記連結部がスライド可能に連結される被連結部を備える
ことを特徴とする、請求項８に記載の画像形成装置。
【請求項１０】
前記作用部材は、前記カートリッジに駆動力を入力するように構成され、
前記カートリッジは、静電潜像を担持するように構成される像担持体と、現像剤を担持するように構成され、前記像担持体に対して接触または離間可能な現像剤担持体と、前記作用部材が駆動伝達可能に係合される受動部材とを備え、
前記作用部材は、前記移動部材が前記作用位置に配置されているときに、前記受動部材に係合され、前記移動部材が前記作用解除位置に配置されているときに、前記受動部材との係合が解除され、
前記第２作用部材は、前記第２移動部材が前記第２作用位置に配置されているときに、前記現像剤担持体を前記像担持体から離間させ、前記第２移動部材が前記第２作用解除位置に配置されているときに、前記現像剤担持体と前記像担持体との接触を許容する
ことを特徴とする、請求項８または請求項９に記載の画像形成装置。
【請求項１１】
前記第２フレームは、前記第１フレームの上側に配置され、
前記第１揺動部材は、前記第２フレームの前記閉位置への移動を緩衝する
ことを特徴とする、請求項５に記載の画像形成装置。
【発明の詳細な説明】
【技術分野】
【０００１】
本発明は、電子写真方式が採用される画像形成装置に関する。
【背景技術】
【０００２】
電子写真方式が採用される画像形成装置として、静電潜像が形成される像担持体と、像担持体に現像剤を供給する現像カートリッジとを備える画像形成装置が知られている。
【０００３】
例えば、感光ドラムを有するドラムカートリッジ、および、現像ローラを有する現像カートリッジを備えるプロセスカートリッジと、ドラムカートリッジに駆動力を入力するドラム駆動伝達部材と、現像カートリッジに駆動力を入力する現像駆動伝達部材と、ドラムカートリッジに対するドラム駆動伝達部材の連結、および、現像カートリッジに対する現像駆動伝達部材の連結を解除する駆動用直動カムとを備えるプリンタが知られている（たとえば、特許文献１参照。）。
【０００４】
このプリンタでは、駆動用直動カムは、プリンタのトップカバーを開く動作に連動して、ドラムカートリッジに対するドラム駆動伝達部材の連結、および、現像カートリッジに対する現像駆動伝達部材の連結を解除する。
【先行技術文献】
【特許文献】
【０００５】
【特許文献１】特開２００９−１６２９０４号公報
【発明の概要】
【発明が解決しようとする課題】
【０００６】
しかるに、上記した特許文献１に記載のプリンタでは、駆動用直動カムは、トップカバーが完全に開かれるタイミングで、ドラムカートリッジに対するドラム駆動伝達部材の連結、および、現像カートリッジに対する現像駆動伝達部材の連結を解除するように構成されている。
【０００７】
そのため、トップカバーが完全に開かれていない状態で、ユーザがプロセスカートリッジを離脱させようとすると、ドラム駆動伝達部材や現像駆動伝達部材がプロセスカートリッジに連結された状態でプロセスカートリッジが引き抜かれ、プロセスカートリッジや、ドラム駆動伝達部材や、現像駆動伝達部材などが破損する場合がある。
【０００８】
そこで、本発明の目的は、カートリッジや作用部材が破損することを抑制できる画像形成装置を提供することにある。
【課題を解決するための手段】
【０００９】
（１）上記した課題を解決するため、本発明の画像形成装置は、装置本体と、装置本体に対して着脱可能なカートリッジとを備える画像形成装置である。
【００１０】
装置本体は、カートリッジを着脱させるための開口部を有し、カートリッジを収容するように構成される第１フレームと、第１フレームに対して揺動するように構成される第２フレームとを備える。
【００１１】
第１フレームは、カートリッジに作用するように構成される作用部材と、作用部材をカートリッジに作用させる作用位置と、作用部材のカートリッジに対する作用を解除する作用解除位置とに移動可能な移動部材と、第２フレームの揺動に連動して移動部材を移動させるように構成される連動手段とを備える。
【００１２】
第２フレームは、開口部を閉鎖する閉位置と、開口部から第２フレームを離間する第１開位置と、第１開位置よりも開口部から離間され、開口部を開放する第２開位置とに、揺動可能である。
【００１３】
連動手段は、第２フレームを閉位置から第１開位置へ揺動させるときに、移動部材を作用位置から作用解除位置へ移動させるように、第２フレームと移動部材とを連動させ、第２フレームを第１開位置から第２開位置へ揺動させるときに、第２フレームと移動部材との連動を解除する。
【００１４】
このような構成によれば、第２フレームを閉位置から第１開位置へ揺動させることにより、カートリッジに対する作用部材の作用を解除することができる。
【００１５】
そのため、第２フレームを第１開位置から第２開位置へ揺動させる途中で、ユーザがカートリッジを装置本体から離脱させたとしても、カートリッジと作用部材とが干渉することを防止できる。
【００１６】
その結果、カートリッジや作用部材が破損することを抑制できる。
（２）また、連動手段は、移動部材を押圧するように構成される押圧部を有してもよい。この場合、移動部材は、第２フレームが閉位置から第１開位置へ揺動されるときに、押圧部によって押圧され、第２フレームが第１開位置から第２開位置へ揺動されるときに、押圧部からの押圧力を受けないように構成される被押圧部を有してもよい。
【００１７】
このような構成によれば、簡易な構成で、第２フレームの閉位置から第１開位置への揺動に連動して、移動部材を作用位置から作用解除位置へ移動させることができながら、第２フレームが第１開位置に配置されるタイミングで、第２フレームと移動部材との連動を解除することができる。
【００１８】
そのため、簡易な構成で、カートリッジや作用部材が破損することを抑制できる。
（３）また、押圧部および被押圧部のいずれか一方は、凹部であり、押圧部および被押圧部のいずれか他方は、凹部内に嵌合可能に構成される凸部であってもよい。
【００１９】
このような構成によれば、簡易な構成で、第２フレームと移動部材とを連動させることができる。
（４）また、被押圧部は、凹部であり、押圧部は、凹部内に嵌合可能に構成される凸部であってもよい。
【００２０】
このような構成によれば、押圧部を被押圧部でガイドすることができ、簡易な構成で、第２フレームと移動部材とを円滑に連動させることができる。
（５）また、連動手段は、第１フレームに対して揺動可能に支持され、第２フレームに連結される第１揺動部材と、押圧部を有し、第１揺動部材に対して間隔を隔てるように第１フレームに対して揺動可能に支持される第２揺動部材と、第１揺動部材と第２揺動部材とを連結する連結部材とを備えてもよい。この場合、連結部材は、第２揺動部材の第１フレームに対する揺動支点と、押圧部との間において、第２揺動部材に連結されてもよい。
【００２１】
このような構成によれば、連結部材を介して、第１揺動部材の揺動に連動させて、第２揺動部材を容易に揺動させることができる。
【００２２】
また、連結部材が、揺動支点と押圧部との間において、第２揺動部材に連結されているので、連結部材の移動距離に対して、押圧部を大きく移動させることができる。
【００２３】
その結果、連動手段を小さなスペースで動作させることができながら、移動部材の移動距離を確保することができる。
（６）また、被押圧部は、第２揺動部材の揺動軌跡に交差する方向に延びる第１壁と、第１壁に連続し、第２揺動部材の揺動軌跡に沿う方向に延びる第２壁とを備えてもよい。
【００２４】
このような構成によれば、まず、第２揺動部材と第１壁とが対向しているときには、第２揺動部材を揺動させることにより、被押圧部を押圧して、移動部材を移動させることができる。
【００２５】
一方、第２揺動部材と第２壁とが対向しているときには、第２揺動部材が被押圧部の第２壁に沿って揺動するので、第２揺動部材の被押圧部に対する押圧を解除して、移動部材を停止させることができる。
【００２６】
これにより、簡易な構成で、第２揺動部材による移動部材の押圧および押圧解除を連続的に実施することができる。
（７）また、移動部材を作用位置から作用解除位置へ向かって付勢する付勢部材を備えてもよい。
【００２７】
このような構成によれば、付勢部材により、移動部材の作用解除位置への移動を補助することができる。
（８）また、第１フレームは、作用部材と異なる部分において、カートリッジに作用するように構成される第２作用部材と、第２作用部材をカートリッジに作用させる第２作用位置と、第２作用部材のカートリッジに対する作用を解除する第２作用解除位置とに移動可能な第２移動部材と、移動部材が作用位置から作用解除位置へ移動されるときに、第２移動部材を第２作用位置から第２作用解除位置へ移動させる第２連動手段とを備えてもよい。
【００２８】
このような構成によれば、移動部材を作用解除位置に移動させるときに、第２連動手段も第２作用解除位置に移動させることができる。
【００２９】
そのため、互いに異なる部分に作用する作用部材および第２作用部材の作用を、第２フレームの揺動に連動させて、一度に解除することができる。
【００３０】
その結果、互いに異なる部分に作用する作用部材および第２作用部材を備える構成において、カートリッジ、作用部材および第２作用部材が破損することを抑制できる。
（９）また、第２連動手段は、移動部材に連結される連結部と、第２移動部材に係合される係合部と、連結部と係合部との間に配置され、第１フレームに揺動可能に支持される支持部とを備えてもよい。この場合、移動部材は、その移動方向と直交する方向に延びるように、連結部がスライド可能に連結される被連結部を備えてもよい。
【００３１】
このような構成によれば、第２連動手段を揺動させるときに、移動部材に対する連結部をスライドさせながら揺動させることができる。
【００３２】
そのため、第２連動手段を小さなスペースで揺動させることができながら、係合部を大きく移動させることができ、第２移動部材の移動距離を確保することができる。
（１０）また、作用部材は、カートリッジに駆動力を入力するように構成されてもよい。また、カートリッジは、静電潜像を担持するように構成される像担持体と、現像剤を担持するように構成され、像担持体に対して接触または離間可能な現像剤担持体と、作用部材が駆動伝達可能に係合される受動部材とを備えてもよい。この場合、作用部材は、移動部材が作用位置に配置されているときに、受動部材に係合され、移動部材が作用解除位置に配置されているときに、受動部材との係合が解除されてもよい。また、第２作用部材は、第２移動部材が第２作用位置に配置されているときに、現像剤担持体を像担持体から離間させ、第２移動部材が第２作用解除位置に配置されているときに、現像剤担持体と像担持体との接触を許容してもよい。
【００３３】
このような構成によれば、第２フレームを閉位置から第１開位置へ揺動させたときに、作用部材と受動部材との係合を解除するとともに、第２作用部材による現像剤担持体の像担持体からの離間を解除することができる。
（１１）また、第２フレームは、第１フレームの上側に配置されてもよい。この場合、第１揺動部材は、第２フレームの閉位置への移動を緩衝してもよい。
【００３４】
このような構成によれば、第１揺動部材を利用して、部品点数の増加を抑制しながら、第２フレームの閉位置への移動を緩衝することができる。
【発明の効果】
【００３５】
本発明の画像形成装置によれば、カートリッジや作用部材が破損することを抑制することができる。
【図面の簡単な説明】
【００３６】
【図１】図１は、本発明の画像形成装置の一例としてのプリンタの中央断面図である。
【図２】図２は、図１に示すプロセスカートリッジの左側から見た側面図である。
【図３】図３は、図１に示す本体ケーシングを説明するための説明図である。
【図４】図４は、図３に示す左側のサイドフレームの右側から見た側面図である。
【図５】図５は、図３に示す直動カム機構の左後側から見た斜視図である。
【図６】図６は、トップカバーと直動カム機構との連動を説明するための説明図であって、トップカバーが閉位置に配置され、駆動解除カムが駆動伝達位置に配置されている状態を示す。
【図７】図７は、図６とともに、トップカバーと直動カム機構との連動を説明するための説明図であって、駆動解除カムが駆動伝達位置に配置され、本体側ドラムカップリングおよび本体側現像カップリングが進出位置に配置されている状態を示す。
【図８】図８は、プリンタの印刷待機モードを説明する説明図である。
【図９】図９は、プリンタのモノクロ印刷モードを説明する説明図である。
【図１０】図１０は、プリンタのカラー印刷モードを説明する説明図である。
【図１１】図１１は、図６に続いて、トップカバーと直動カム機構との連動を説明するための説明図であって、トップカバーが閉位置から開位置に移動される途中であり、駆動解除カムが駆動解除位置に配置される直前の状態を示す。
【図１２】図１２は、図１１に続いて、トップカバーと直動カム機構との連動を説明するための説明図であって、トップカバーが閉位置から開位置に移動される途中であり、駆動解除カムが駆動解除位置に配置された直後の状態を示す。
【図１３】図１３は、図１２とともに、トップカバーと直動カム機構との連動を説明するための説明図であって、駆動解除カムが駆動解除位置に配置され、本体側ドラムカップリングおよび本体側現像カップリングが退避位置に配置されている状態を示す。
【図１４】図１４は、図１２および図１３とともに、トップカバーと直動カム機構との連動を説明するための説明図であって、現像離間カムが第４位置に配置され、本体側離間部材がガイド溝内から退避されている状態を示す。
【図１５】図１５は、図１２に続いて、トップカバーと直動カム機構との連動を説明するための説明図であって、トップカバーが開位置に配置されている状態を示す。
【発明を実施するための形態】
【００３７】
１．プリンタの全体構成
図１に示すように、画像形成装置の一例としてのプリンタ１は、横置きタイプのダイレクトタンデム型カラープリンタである。
【００３８】
なお、以下の説明において、プリンタ１の方向に言及するときには、プリンタ１を水平に載置した状態を上下の基準とする。すなわち、図１の紙面上側が上側であり、紙面下側が下側である。また、図１の紙面右側が前側であり、図１の紙面左側が後側である。また、プリンタ１を前側から見たときを左右の基準とする。すなわち、図１の紙面手前側が左側であり、紙面奥側が右側である。
【００３９】
プリンタ１は、略ボックス形状の装置本体の一例としての本体ケーシング２内において、複数（４つ）のカートリッジの一例としてのプロセスカートリッジ５と、複数（４つ）のＬＥＤユニット６と、転写ユニット７と、定着ユニット８とを備えている。
【００４０】
複数のプロセスカートリッジ５は、本体ケーシング２内の上下方向略中央において、互いに前後方向に間隔を隔てて並列配置されている。複数（４つ）のプロセスカートリッジ５のそれぞれは、複数（４つ）の色（ブラック、イエロー、マゼンタ、シアン）のそれぞれに対応している。
【００４１】
プロセスカートリッジ５は、ドラムカートリッジ９と、ドラムカートリッジ９に着脱可能に装着される現像カートリッジ１０とを備えている。
【００４２】
ドラムカートリッジ９は、像担持体の一例としての感光ドラム１１と、スコロトロン型帯電器１２とを備えている。
【００４３】
感光ドラム１１は、左右方向に長手の略円筒形状に形成されており、ドラムカートリッジ９の後端部に回転可能に設けられている。
【００４４】
スコロトロン型帯電器１２は、感光ドラム１１の後上側に対向配置されている。
【００４５】
現像カートリッジ１０は、現像剤担持体の一例としての現像ローラ１３と、現像ローラ１３にトナーを供給する供給ローラ１４とを備えている。
【００４６】
現像ローラ１３は、現像カートリッジ１０の後端部において、後側へ露出されるように回転可能に支持されている。現像ローラ１３は、感光ドラム１１に対して前上側から接触されている。現像ローラ１３は、左右方向に延びる略円柱形状に形成されている。
【００４７】
供給ローラ１４は、現像ローラ１３の前上側において、現像ローラ１３に接触されるように回転可能に支持されている。供給ローラ１４は、左右方向に延びる略円柱形状に形成されている。
【００４８】
また、現像カートリッジ１０は、現像ローラ１３に供給されたトナーの厚みを規制する層厚規制ブレード１５を備えている。また、現像カートリッジ１０には、現像ローラ１３および供給ローラ１４の上側において、現像剤の一例としてのトナーが収容されている。
【００４９】
複数のＬＥＤユニット６のそれぞれは、複数のプロセスカートリッジ５の感光ドラム１１の上にそれぞれ対向配置されるように、本体ケーシング２のトップカバー５２（後述）に支持されている。
【００５０】
転写ユニット７は、複数のプロセスカートリッジ５の下側に対向配置されている。転写ユニット７は、駆動ローラ１６、従動ローラ１７、搬送ベルト１８、および、複数（４つ）の転写ローラ１９を備えている。
【００５１】
駆動ローラ１６は、転写ユニット７の後端部に回転可能に支持されている。
【００５２】
従動ローラ１７は、転写ユニット７の前端部に回転可能に支持されている。
【００５３】
搬送ベルト１８は、その上側部分がすべての感光ドラム１１に接触されるように、駆動ローラ１６および従動ローラ１７の周りに掛け渡されている。搬送ベルト１８は、駆動ローラ１６の駆動、および、従動ローラ１７の従動により、その上側部分が前側から後側に向かって移動するように、周回移動される。
【００５４】
複数の転写ローラ１９のそれぞれは、複数の感光ドラム１１のそれぞれの下側において、搬送ベルト１８の上側部分を挟むように対向配置されている。
【００５５】
定着ユニット８は、転写ユニット７の後側に対向配置されている。定着ユニット８は、加熱ローラ２０と、加熱ローラ２０に対向する加圧ローラ２１とを備えている。
【００５６】
そして、現像カートリッジ１０内のトナーは、供給ローラ１４と現像ローラ１３との間で正極性に摩擦帯電され、層厚規制ブレード１５により、一定厚さの薄層として現像ローラ１３の表面に担持される。
【００５７】
一方、感光ドラム１１の表面は、スコロトロン型帯電器１２によって一様に正極性に帯電された後、ＬＥＤユニット６によって所定の画像データに基づいて露光される。これにより、感光ドラム１１の表面には、画像データに基づく静電潜像が形成される。そして、現像ローラ１３に担持されるトナーが感光ドラム１１の表面上の静電潜像に供給されることにより、感光ドラム１１の表面上にトナー像（現像剤像）が担持される。
【００５８】
用紙Ｐは、本体ケーシング２の底部に設けられる給紙トレイ２２内に収容されており、各種ローラによって、後上側へＵターンするように搬送されて、所定のタイミングで１枚ずつ、感光ドラム１１と搬送ベルト１８との間に給紙される。そして、搬送ベルト１８によって、すべての感光ドラム１１とすべての転写ローラ１９との間を前側から後側に向かって搬送される。このとき、転写ローラ１９に印加される転写バイアスにより、用紙Ｐにトナー像が転写される。
【００５９】
そして、用紙Ｐは、加熱ローラ２０と加圧ローラ２１との間を通過するときに加熱および加圧される。このとき、用紙Ｐには、トナー像が熱定着される。
【００６０】
その後、用紙Ｐは、前上側へＵターンするように搬送されて、本体ケーシング２のトップカバー５２（後述）に設けられる排紙トレイ２３に排紙される。
２．プロセスカートリッジ
プロセスカートリッジ５は、上記し、図２に示すように、ドラムカートリッジ９と現像カートリッジ１０とを備えている。なお、以下のプロセスカートリッジ５の説明においては、駆動力が入力される左端部の構成を詳細に説明し、右端部の説明を省略する。また、プロセスカートリッジ５の右端部は、特に言及しない場合、左端部と同様に構成されている。
（１）ドラムカートリッジ
ドラムカートリッジ９は、ドラムフレーム３１と、カートリッジ側離間部材３３と、軸受部材３２とを備えている。
【００６１】
ドラムフレーム３１は、左右方向に長手の有底枠形状に形成されている。ドラムフレーム３１の左右の側壁３４には、嵌合穴３５と、露出溝３６と、離間部材支持ボス３７とが形成されている。
【００６２】
嵌合穴３５は、側壁３４の後端部において、側壁３４を左右方向に貫通するように、側面視略円形状に形成されている。嵌合穴３５の内径は、軸受部材３２の軸受部３８（後述）の外径とほぼ同径に形成されている。
【００６３】
露出溝３６は、側壁３４の前後方向略中央において、後上側端縁から前下側に向かって切り欠かれるように、後上側が開放される側面視略Ｖ字形状に形成されている。
【００６４】
離間部材支持ボス３７は、嵌合穴３５の前上側、かつ、露出溝３６の後下側に配置されている。離間部材支持ボス３７は、側壁３４の左右方向外面から左右方向外側へ延びる略円柱形状に形成されている。
【００６５】
カートリッジ側離間部材３３は、嵌合穴３５の前上側、かつ、露出溝３６の後下側に設けられている。カートリッジ側離間部材３３は、上下方向に延び、前上側へ向かって開放される側面視略Ｖ字形の平板形状に形成されている。なお、カートリッジ側離間部材３３には、上下方向略中央において、図示しない貫通穴が形成されている。カートリッジ側離間部材３３は、その図示しない貫通穴内に離間部材支持ボス３７が挿通されることにより、離間部材支持ボス３７に揺動可能に支持されている。
【００６６】
軸受部材３２は、ドラムフレーム３１の後下側端部に設けられている。軸受部材３２は、側面視略円環形状に形成されている。軸受部材３２は、軸受部３８と、支持ボス係合部３９とを一体的に備えている。
【００６７】
軸受部３８は、左右方向に延びる略円筒形状に形成されている。軸受部３８の内径は、感光ドラム１１の左右方向端部の外径とほぼ同径に形成されている。軸受部３８は、側壁３４の嵌合穴３５内に嵌合されている。
【００６８】
支持ボス係合部３９は、軸受部３８の前端部から前側へ突出し、左右方向に厚みを有する略平板形状に形成されている。支持ボス係合部３９には、支持ボス嵌合穴４０が形成されている。
【００６９】
支持ボス嵌合穴４０は、支持ボス係合部３９の前後方向中央において、前後方向に長手の側面視略長穴形状に貫通形成されている。支持ボス嵌合穴４０内には、離間部材支持ボス３７の左右方向外側端部が嵌合されている。
【００７０】
なお、ドラムフレーム３１の前壁には、その左右方向両端部において、押圧部材（図示せず）が、設けられている。押圧部材（図示せず）は、現像カートリッジ１０に前側から当接されており、現像カートリッジ１０を感光ドラム１１へ向かって後下側へ押圧している。
【００７１】
そして、ドラムフレーム３１の後下側端部には、感光ドラム１１が回転可能に支持されている。
【００７２】
感光ドラム１１は、左右方向に延びる略円筒形状の金属製の素管から形成されている。なお、感光ドラム１１の外周面は、樹脂製の感光層によって被覆されている。感光ドラム１１の左右方向端部は、軸受部材３２の軸受部３８内に嵌合されている。また、感光ドラム１１の左右方向両端部には、それぞれ、フランジ部材４１が相対回転不能に嵌合されている。
【００７３】
フランジ部材４１は、左右方向に延びる略円柱形状に形成されている。また、受動部材の一例としての左側のフランジ部材４１には、複数の嵌合凹部４２が形成されている。
【００７４】
複数の嵌合凹部４２は、左側のフランジ部材４１の左面の径方向外側端部において、周方向に互いに９０°の間隔を隔てて複数（４つ）並列配置されている。嵌合凹部４２は、左側のフランジ部材４１の左面から右側へ凹む側面視略矩形状の凹部として形成されている。
（２）現像カートリッジ
現像カートリッジ１０は、カートリッジフレーム４３と、駆動ユニット４４とを備えている。
【００７５】
カートリッジフレーム４３は、左右方向に延びる略ボックス形状に形成されている。カートリッジフレーム４３は、上記したように、現像ローラ１１、供給ローラ１４、層厚規制ブレード１５を支持するとともに、その内部においてトナーを収容している。
【００７６】
駆動ユニット４４は、カートリッジフレーム４３の左側に配置されている。駆動ユニット４４は、受動部材の一例としての現像カップリング４５と、ギアカバー４６とを備えている。
【００７７】
現像カップリング４５は、左右方向に延びる略円柱形状に形成され、ギアカバー４６内に回転可能に収容されている。現像カップリング４５は、図示しないギア列を介して、現像ローラ１１および供給ローラ１４に連結されている。現像カップリング４５の左面には、結合凹部４７が形成されている。
【００７８】
結合凹部４７は、現像カップリング４５の左面から右側へ凹み、現像カップリング４５の径方向に延びるように形成されている。
【００７９】
ギアカバー４６は、左右方向に延び、左端部が閉鎖された略角筒形状に形成されている。ギアカバー４６は、カップリングカラー４８と、離間係合部４９とを備えている。
【００８０】
カップリングカラー４８は、ギアカバー４６の前後方向略中央の左壁から左側へ突出する略円筒形状に形成されている。なお、カップリングカラー４８の右端部は、ギアカバー４６内に連通されている。カップリングカラー４８内には、現像カップリング４５の左端部が、結合凹部４７を露出するように、相対回転可能に嵌合されている。カップリングカラー４８は、ドラムカートリッジ９の露出溝３６を介して、ドラムカートリッジ９の側壁３４から左側へ露出されている。
【００８１】
離間係合部４９は、カップリングカラー４８の下端部から後下側へ向かって突出し、左右方向に延びる突条として形成されている。
【００８２】
なお、現像カートリッジ１０の右端部には、カートリッジフレーム４３の右側において、給電ユニット（図示せず）が配置されている。給電ユニット（図示せず）には、本体ケーシング２内の図示しない電源から電力が供給される。給電ユニット（図示せず）には、駆動ユニット４４の離間係合部４９と同様の離間係合部（図示せず）が形成されている。
３．本体ケーシング
本体ケーシング２は、図１および図３に示すように、第１フレームの一例としての収容フレーム５１と、第２フレームの一例としてのトップカバー５２とを備えている。なお、以下の本体ケーシング２の説明においては、プロセスカートリッジ５に駆動力を入力する左端部の構成を詳細に説明し、右端部の説明を省略する。また、本体ケーシング２の右端部は、特に言及しない場合、左端部と同様に構成されている。
（１）収容フレーム
収容フレーム５１は、略ボックス形状に形成されている。収容フレーム５１の上端部には、プロセスカートリッジ５を着脱するための開口部５３が形成されている。
【００８３】
収容フレーム５１は、図３および図７に示すように、サイドフレーム５４と、複数（４つ）の作用部材の一例としての本体側ドラムカップリング５５と、複数（４つ）の作用部材の一例としての本体側現像カップリング５６とを備えている。
【００８４】
サイドフレーム５４は、収容フレーム５１の左右方向端部内に設けられている。サイドフレーム５４は、左右方向に延び、左右方向内側が閉鎖された側面視略矩形の枠形状に形成されている。
【００８５】
サイドフレーム５４は、図４および図５に示すように、ダンパ支持部５０と、カートリッジガイド溝５７とを有している。
【００８６】
ダンパ支持部５０は、サイドフレーム５４の後側上端部に設けられている。ダンパ支持部５０は、１対の支持側板７３と、支持軸７４とを備えている。
【００８７】
１対の支持側板７３は、左右方向に互いに間隔を隔てて対向配置されている。支持側板７３は、サイドフレーム５４の上面から上側へ延びる略平板形状に形成されている。
【００８８】
支持軸７４は、１対の支持側板７３の上端部間に架設されている。支持軸７４は、左右方向に延びる略円柱形状に形成されている。
【００８９】
カートリッジガイド溝５７は、サイドフレーム５４の左右方向内面において、複数のプロセスカートリッジ５のそれぞれに対応するように、複数（４つ）、前後方向に互いに間隔を隔てて並列配置されている。カートリッジガイド溝５７は、前上側と後下側とを結ぶ方向に延び、その前上側端部が上側へ向かって開放される側面視略Ｕ字形状の凹溝として形成されている。カートリッジガイド溝５７の溝幅、すなわち、前下側と後上側とを結ぶ方向における長さは、プロセスカートリッジ５の軸受部３８の外径よりも幅広である。カートリッジガイド溝５７内には、本体側離間部材露出穴７２が形成されている。
【００９０】
本体側離間部材露出穴７２は、カートリッジガイド溝５７の上下方向略中央において、後述する本体側現像カップリング露出穴５９の前下側に配置されている。本体側離間部材露出穴７２は、カートリッジガイド溝５７の前下側壁を貫通するように形成されている。
【００９１】
また、左側のサイドフレーム５４のカートリッジガイド溝５７内には、本体側ドラムカップリング露出穴５８と、本体側現像カップリング露出穴５９とが形成されている。なお、右側のサイドフレーム５４には、本体側ドラムカップリング露出穴５８および本体側現像カップリング露出穴５９は形成されていない。
【００９２】
本体側ドラムカップリング露出穴５８は、カートリッジガイド溝５７の下端部に配置されている。本体側ドラムカップリング露出穴５８は、カートリッジガイド溝５７の左壁を貫通するように、側面視略円形状に形成されている。
【００９３】
本体側現像カップリング露出穴５９は、カートリッジガイド溝５７の上下方向略中央において、本体側ドラムカップリング露出穴５８の前上側に間隔を隔てて配置されている。本体側現像カップリング露出穴５９は、カートリッジガイド溝５７の左壁を貫通するように、側面視略長穴形状に形成されている。
【００９４】
複数の本体側ドラムカップリング５５のそれぞれは、図４および図７に示すように、本体ケーシング２内において、本体側ドラムカップリング露出穴５８の左側に１つずつ（合計４つ）配置されている。本体側ドラムカップリング５５は、固定シャフト６０と、移動シャフト６１とを備えている。
【００９５】
固定シャフト６０は、左右方向に延びる略円柱形状に形成されている。固定シャフト６０は、本体ケーシング２内において、回転可能に支持されている。固定シャフト６０の左端部には、駆動入力ギア６２が相対回転不能に支持されている。
【００９６】
駆動入力ギア６２は、左右方向に厚みを有し、固定シャフト６０と中心軸線を共有する略円板形状に形成されている。駆動入力ギア６２の周面には、その全周にわたってギア歯が形成されている。駆動入力ギア６２には、本体ケーシング２内の駆動源（図示せず）からギア列（図示せず）を介して駆動力が入力される。
【００９７】
移動シャフト６１は、左右方向に延び、右端部が閉鎖された略円筒形状に形成されている。移動シャフト６１の内径は、固定シャフト６０の外径よりも大径である。移動シャフト６１は、複数（２つ）の嵌合凸部６３と、鍔部６４（図１３参照）とを備えている。
【００９８】
複数の嵌合凸部６３は、移動シャフト６１の右端部の径方向両端部において、右面から右側へ延びる略半円柱形状に形成されている。
【００９９】
鍔部６４は、移動シャフト６１の左右方向中央において、移動シャフト６１の外周面から径方向外側へ突出し、移動シャフト６１の周方向に延びる突条として形成されている。
【０１００】
そして、移動シャフト６１は、固定シャフト６０の右端部に対して、相対回転不能、かつ、左右方向にスライド可能に、径方向外側から嵌合されている。移動シャフト６１は、右側へ進出されて、本体側ドラムカップリング露出穴５８を介してカートリッジガイド溝５７内に突出される進出位置（図７参照）と、進出位置から左側へ退避されて、カートリッジガイド溝５７から左側に退避される退避位置（図１３参照）とにスライド可能である。また、移動シャフト６１は、鍔部６４と駆動入力ギア６２との間に介在される圧縮ばね６５により、常には、進出位置に配置されるように、右側へ付勢されている。
【０１０１】
本体側現像カップリング５６は、本体ケーシング２内において、本体側現像カップリング露出穴５９の左側に１つずつ（合計４つ）配置されるように、前側から後側へ向かって互いに間隔を隔てて並列配置されている。本体側現像カップリング５６は、固定シャフト６６と、移動シャフト６７とを備えている。
【０１０２】
固定シャフト６６は、左右方向に延びる略円柱形状に形成されている。固定シャフト６６は、本体ケーシング２内において、回転可能に支持されている。固定シャフト６６の左端部には、駆動入力ギア６８が相対回転不能に支持されている。
【０１０３】
駆動入力ギア６８は、左右方向に厚みを有し、固定シャフト６６と中心軸線を共有する略円板形状に形成されている。駆動入力ギア６８の周面には、その全周にわたってギア歯が形成されている。駆動入力ギア６８には、本体ケーシング２内の駆動源（図示せず）からギア列（図示せず）を介して駆動力が入力される。
【０１０４】
移動シャフト６７は、左右方向に延び、右端部が閉鎖された略円筒形状に形成されている。移動シャフト６７の内径は、固定シャフト６６の外径よりも大径である。移動シャフト６７は、結合凸部６９と、鍔部７０（図１３参照）とを備えている。
【０１０５】
結合凸部６９は、移動シャフト６７の右端部の径方向中央において、右面から右側へ延び、径方向に長手の略柱形状に形成されている。
【０１０６】
鍔部７０は、移動シャフト６７の左右方向中央において、移動シャフト６７の外周面から径方向外側へ突出し、移動シャフト６７の周方向に延びる突条として形成されている。
【０１０７】
そして、移動シャフト６７は、固定シャフト６６の右端部に対して、相対回転不能、かつ、左右方向にスライド可能に、径方向外側から嵌合されている。移動シャフト６７は、右側へ進出されて、本体側現像カップリング露出穴５９を介してカートリッジガイド溝５７内に突出される進出位置と、進出位置から左側へ退避されて、カートリッジガイド溝５７から左側に退避される退避位置とにスライド可能である。また、移動シャフト６７は、鍔部７０と駆動入力ギア６８との間に介在される圧縮ばね７１により、常には、進出位置に配置されるように、右側へ付勢されている。
（２）トップカバー
トップカバー５２は、図６に示すように、本体ケーシング２の上端部において、その後端部に設けられる揺動軸３を支点として揺動可能に設けられている。トップカバー５２は、開口部５３を閉鎖する閉位置の一例としての閉鎖位置（図６参照）と、開口部５３を開放する第２開位置の一例としての開放位置（図１５参照）とに揺動される。
【０１０８】
図１５に示すように、トップカバー５２が開放位置に配置された状態において、収容フレーム５１の上端縁に沿って延びる仮想線Ａ１と、トップカバー５２の下端縁に沿って延びる仮想線Ａ２とが形成する角度θ１は、例えば、４５°である。
【０１０９】
また、トップカバー５２が開放位置に配置された状態において、収容フレーム５１の上端縁の前端部５１Ａと、トップカバー５２の下端縁の前端縁５２Ａとの距離Ｄ１は、例えば、３０〜３５ｃｍ、より具体的には、３２ｃｍである。
（３）直動カム機構
また、本体ケーシング２は、図３および図５に示すように、直動カム機構８１を備えている。
【０１１０】
直動カム機構８１は、移動部材の一例としての駆動解除カム８２と、第２移動部材の一例としての現像離間カム８３と、第２作用部材の一例としての本体側離間部材８４（図８参照）と、連動手段の一例としての第１リンク機構８５と、第２リンク機構８６とを備えている。
（３−１）駆動解除カム
駆動解除カム８２は、図３および図７に示すように、サイドフレーム５４の左側において、複数の本体側現像カップリング５６の右側に、前後方向にスライド可能に支持されている。駆動解除カム８２は、前後方向に延びる側面視略矩形の平板形状に形成されている。また、駆動解除カム８２の下端部は、複数の本体側ドラムカップリング５５の右側に対向配置されている。駆動解除カム８２は、複数（４つ）の本体側現像カップリング挿通穴８７と、複数（４つ）の現像側カム部８８と、複数（４つ）のドラムカップリング対向部８９と、複数（４つ）のドラム側カム部９０とを有している。
【０１１１】
複数の本体側現像カップリング挿通穴８７のそれぞれは、駆動解除カム８２の上下方向中央において、複数の本体側現像カップリング５６のそれぞれに対応するように、前後方向に互いに間隔を隔てて並列配置されている。本体側現像カップリング挿通穴８７は、前後方向に長手の側面視略長穴形状に貫通形成されている。本体側現像カップリング挿通穴８７の上下方向長さは、本体側現像カップリング５６の移動シャフト６７（鍔部７０よりも右側の部分）の外径よりも長く、鍔部７０の外径よりも短い。
【０１１２】
複数の現像側カム部８８のそれぞれは、複数の本体側現像カップリング挿通穴８７のそれぞれの後側周縁部に配置されている。現像側カム部８８は、対応する本体側現像カップリング挿通穴８７の後側半分の周縁部から左側へ突出するように、前側が開放された左側面視略Ｕ字形状に形成されている。現像側カム部８８は、変位部９１と、保持部９２とを備えている。
【０１１３】
変位部９１は、現像側カム部８８の前端部に設けられ、前側から後側へ向かうに従って次第に突出長さが長くなるように形成されている。つまり、変位部９１の左面は、前側から後側へ向かうに従って左側へ傾斜している。
【０１１４】
保持部９２は、変位部９１の後側に連続されている。保持部９２の左面は、変位部９１の左面の後端部に連続して、前後方向に延びている。
【０１１５】
複数の本体側ドラムカップリング対向部８９のそれぞれは、複数の本体側現像カップリング挿通穴８７のそれぞれの下側に配置されている。本体側ドラムカップリング対向部８９は、駆動解除カム８２の左面から右側へ向かって凹むように、下側へ向かって開放される側面視略Ｄ字形状に形成されている。
【０１１６】
複数のドラム側カム部９０のそれぞれは、複数の本体側ドラムカップリング対向部８９のそれぞれの後側に配置されている。ドラム側カム部９０は、駆動解除カム８２の左面から左側へ突出し、前後方向に延びる略平板形状に形成されている。ドラム側カム部９０は、変位部９３と、保持部９４とを備えている。
【０１１７】
変位部９３は、ドラム側カム部９０の前側半分を構成し、前側から後側へ向かうに従って次第に突出長さが長くなるように形成されている。つまり、変位部９３の左面は、前側から後側へ向かうに従って左側へ傾斜している。
【０１１８】
保持部９４は、変位部９３の後側に連続されている。保持部９４の左面は、変位部９３の左面の後端部に連続して、前後方向に延びている。
【０１１９】
また、駆動解除カム８２は、図１１の拡大図に示すように、被押圧部の一例としての第１リンク溝９５と、被連結部の一例としての第２リンク溝９６とを有している。
【０１２０】
第１リンク溝９５は、最後方の現像側カム部８８の後側に配置されている。第１リンク溝９５は、駆動解除カム８２の右面から左側へ凹む凹溝であり、下側から上側へ向かうに従って前側へ屈曲しながら延びている。詳しくは、第１リンク溝９５の後側内面９７は、下側から上側へ延び、前上側へ屈曲されて前上側へ延び、さらに上側へ屈曲されて上側へ延びている。また、第１リンク溝９５の前側内面９８は、下側から上側へ延び、前上側へ屈曲されて、第１リンク溝９５の後側内周面から離れるように、前上側へ向かって略円弧形状に延びている。前側内面９８の屈曲部９９より下側の第１リンク溝９５（以下、連動部９５Ａとする。）の前後方向長さは、第１リンク機構８５の揺動部材１１２（後述）の押圧ボス１２０（後述）の外径よりもわずかに長い。また、前側内面９８の屈曲部９９より上側の第１リンク溝９５（以下、連動解除部９５Ｂとする。）の前後方向長さは、上側へ向かうに従って前後方向に拡がっている。また、連動解除部９５Ｂの前側内面９８の曲率半径は、第１リンク機構８５の揺動部材１１２の揺動軌跡の半径と同じかそれよりも長い。連動部９５Ａの前側内面９８が、上下方向に延びる第１壁の一例であり、連動解除部９５Ｂの前側内面９８が、前上側へ向かって略円弧形状に延びる第２壁の一例である。
【０１２１】
第２リンク溝９６は、第１リンク溝９５の後側に配置されている。第２リンク溝９６は、上下方向に沿って延びる略直線形状に形成されている。第２リンク溝９６の前後方向長さは、第２リンク機構８６のリンク部材１２７（後述）の連結ボス１３０（後述）の外径よりもわずかに長い。
【０１２２】
そして、駆動解除カム８２は、複数の本体側現像カップリング挿通穴８７のそれぞれの前側半分が対応する本体側現像カップリング５６に対向する作用位置の一例としての駆動伝達位置（図７参照）と、駆動伝達位置よりも前側に配置され、複数の本体側現像カップリング挿通穴８７のそれぞれの保持部９２が対応する本体側現像カップリング５６に対向する作用解除位置の一例としての駆動解除位置（図１３参照）とにスライド可能である。
【０１２３】
また、駆動解除カム８２は、図６に示すように、付勢部材の一例としての引張ばね１００と、付勢部材の一例としてのねじりコイルばね１０１とにより、常には、駆動解除位置へ向かうように、前側へ向かって付勢されている。
【０１２４】
引張ばね１００は、駆動解除カム８２の前側に配置されている。引張ばね１００は、前後方向に延び、その前端部においてサイドフレーム５４の前端部に固定され、その後端部において、駆動解除カム８２の前端部に固定されている。
【０１２５】
ねじりコイルばね１０１は、駆動解除カム８２の前後方向略中央の上側に配置されている。ねじりコイルばね１０１は、その一端部が、サイドフレーム５４の上端部に固定され、その他端部が、前側から２つめの現像側カム部８８に後側から当接されている。
（３−２）本体側離間部材および現像離間カム
図４および図８に示すように、複数の本体側離間部材８４のそれぞれは、複数の本体側離間部材露出穴７２のそれぞれの前下側に対向配置されている。本体側離間部材８４は、支持部１０５と、係合アーム１０６と、押圧アーム１０７とを一体的に備えている。
【０１２６】
支持部１０５は、左右方向に厚みを有する略円板形状に形成されている。支持部１０５は、揺動軸１０８を備えている。
【０１２７】
揺動軸１０８は、支持部１０５と中心軸線を共有するように、支持部１０５の左右方向内面から左右方向外側へ延びる略円柱形状に形成されている。揺動軸１０８は、サイドフレーム５４の左側において、揺動可能に支持されている。
【０１２８】
係合アーム１０６は、支持部１０５の下側部分から下方へ延びる略杆形状に形成されている。係合アーム１０６は、係合突起１０９を備えている。
【０１２９】
係合突起１０９は、係合アーム１０６の下端部に設けられ、係合アーム１０６の左右方向外面から左右方向外側へ延びる略円柱形状に形成されている。
【０１３０】
押圧アーム１０７は、揺動軸１０８の上側部分から上方へ延びる略平板形状に形成されている。
【０１３１】
そして、本体側離間部材８４は、押圧アーム１０７がカートリッジ側離間部材３３を押圧する押圧位置（図８参照）と、押圧アーム１０７がカートリッジ側離間部材３３から前上側に退避される押圧解除位置（図１０参照）と、押圧アーム１０７がカートリッジガイド溝５７から退避される退避位置（図１４参照）とに、揺動軸１０８を支点として揺動される。
【０１３２】
現像離間カム８３は、図６および図８に示すように、複数の本体側離間部材８４の下側において、前後方向にスライド可能に支持されている。現像離間カム８３は、前後方向に延びる略角柱形状に形成されている。現像離間カム８３は、ラック部１０２と、複数（４つ）の係合溝１０３と、被当接部１０４とを有している。
【０１３３】
ラック部１０２は、現像離間カム８３の前端部の下面において、前後方向に延びるように形成されている。ラック部１０２は、収容フレーム５１内の図示しないピニオンギアに噛合されている。
【０１３４】
複数の係合溝１０３のそれぞれは、複数の本体側離間部材８４のそれぞれに対応して設けられ、互いに前後方向に間隔を隔てて並列配置されている。係合溝１０３は、現像離間カム８３の上端縁から下側へ向かって切り欠かれるように、上側が開放された側面視略Ｕ字形状に形成されている。なお、係合溝１０３の上端部は、わずかに後上側に傾斜されている。係合溝１０３の前後方向長さは、本体側離間部材８４の係合突起１０９の外径よりも長い。また、最後方の係合溝１０３の前後方向長さは、それ以外の係合溝１０３の前後方向長さよりも長い。
【０１３５】
被当接部１０４は、現像離間カム８３の後端部の左面から左側へ向かって突出する略平板形状に形成されている。
（３−３）第１リンク機構
第１リンク機構８５は、図５に示すように、駆動解除カム８２の右側に配置されている。第１リンク機構８５は、第１揺動部材の一例としてのダンパ１１１と、第２揺動部材の一例としての揺動部材１１２と、連結部材１１３とを備えている。
【０１３６】
ダンパ１１１は、図５および図１５に示すように、シリンダ１１４と、ロッド１１５とを備えている。ダンパ１１１は、シリンダ１１４に対するロッド１１５の摺擦により、トップカバー５２の開放位置から閉鎖位置への揺動を緩衝する。以下のダンパ１１１の説明において、上下方向に言及するときには、トップカバー５２が開放位置に配置されている状態を基準とする。
【０１３７】
シリンダ１１４は、中空の略円筒形状に形成されている。シリンダ１１４は、左右１対の連結部１１６を備えている。
【０１３８】
左側の連結部１１６は、シリンダ１１４の下端部の左端部から、左側に膨出するとともに下側へ突出する略平板形状に形成されている。左側の連結部１１６には、支持軸挿通穴１１７が形成されている。
【０１３９】
支持軸挿通穴１１７は、左側の連結部１１６の下端部において、側面視略円形状に貫通形成されている。支持軸挿通穴１１７内には、サイドフレーム５４の支持軸７４が相対回転可能に挿通されている。
【０１４０】
右側の連結部１１６は、シリンダ１１４の下端部の右端部から、右側に膨出するとともに下側へ突出し、前下側へ屈曲されて、前下側へ延びる略平板形状に形成されている。なお、右側の連結部１１６の屈曲部分Ｅは、左側の連結部１１６の下端部と左右方向に対向している。右側の連結部１１６には、支持軸挿通穴１１８と、連結穴１１９とが形成されている。
【０１４１】
支持軸挿通穴１１８は、右側の連結部１１６の屈曲部分Ｅにおいて、側面視略円形状に貫通形成されている。支持軸挿通穴１１８内には、サイドフレーム５４の支持軸７４が相対回転可能に挿通されている。なお、右側の連結部１１６の支持軸挿通穴１１８より下側の部分（以下、揺動アーム１１０とする。）は、図示しない貫通穴を介して、サイドフレーム５４の上端部内に配置されている。
【０１４２】
連結穴１１９は、揺動アーム１１０の下端部において、側面視略円形状に貫通形成されている。
【０１４３】
ロッド１１５は、シリンダ１１４とほぼ同じ上下方向長さを有する略円柱形状に形成されている。ロッド１１５の外径は、シリンダ１１４の内径よりも小径であり、ロッド１１５は、シリンダ１１４内に進退可能に嵌合されている。ロッド１１５の上端部は、トップカバー５２の下面に揺動可能に連結されている。ロッド１１５は、後述するトップカバー５２の開動作に伴ってシリンダ１１４から進出され、トップカバー５２の閉動作に伴って、シリンダ１１４内に退避される。
【０１４４】
揺動部材１１２は、図５および図６に示すように、ダンパ１１１の揺動アーム１１０の後側に間隔を隔てて配置されている。揺動部材１１２は、上下方向に延びる略杆形状に形成されている。揺動部材１１２は、その上端部１２２において、サイドフレーム５４の右壁に揺動可能に支持されている。すなわち、揺動部材１１２の上端部１２２は、揺動支点の一例である。揺動部材１１２は、押圧部の一例としての押圧ボス１２０と、連結部材嵌合溝１２１とを有している。
【０１４５】
押圧ボス１２０は、揺動部材１１２の下端部の左面から左側へ向かって延びる略円柱形状に形成されている。押圧ボス１２０は、駆動解除カム８２の第１リンク溝９５内に嵌合されている。
【０１４６】
連結部材嵌合溝１２１は、揺動部材１１２の上下方向略中央において、上下方向に延びる側面視略矩形状に貫通形成されている。言い換えると、連結部材嵌合溝１２１は、揺動部材１１２の上端部１２２と押圧ボス１２０との間に配置され、揺動部材１１２が延びる方向に沿って延びている。
【０１４７】
連結部材１１３は、ダンパ１１１の揺動アーム１１０、および、揺動部材１１２の右側に配置されている。連結部材１１３は、前後方向に延びる略杆形状に形成されている。連結部材１１３は、ダンパ連結ボス１２３と、揺動部材連結ボス１２４とを備えている。
【０１４８】
ダンパ連結ボス１２３は、連結部材１１３の前端部の左面から左側へ向かって延びる略円柱形状に形成されている。ダンパ連結ボス１２３は、ダンパ１１１の連結穴１１９内に相対回転可能に嵌合されている。
【０１４９】
揺動部材連結ボス１２４は、連結部材１１３の後端部の左面から左側へ向かって延びる略円柱形状に形成されている。揺動部材連結ボス１２４は、揺動部材１１２の連結部材嵌合溝１２１内に相対回転可能に嵌合されている。
（３−４）第２リンク機構
第２リンク機構８６は、現像離間カム８３の左側に配置されている。第２リンク機構８６は、リンクカバー１２６と、第２連動手段の一例としてのリンク部材１２７とを備えている。
【０１５０】
リンク部材１２７は、現像離間カム８３の後端部の左側に配置されている。リンク部材１２７は、上下方向に延びる略杆形状に形成されている。リンク部材１２７の下端部は、現像離間カム８３の被当接部１０４の前側に対向配置されている。リンク部材１２７の下端部は、現像離間カム８３の被当接部１０４に当接される当接部１３４である。リンク部材１２７は、連結部の一例としての連結ボス１３０と、支持部の一例としての第１嵌合ボス１３１と、係合部の一例としての第２嵌合ボス１３２とを有している。
【０１５１】
連結ボス１３０は、リンク部材１２７の上端部の右面から右側へ向かって延びる略円柱形状に形成されている。連結ボス１３０は、駆動解除カム８２の第２リンク溝９６内に嵌合されている。
【０１５２】
第１嵌合ボス１３１は、リンク部材１２７の上下方向中央の左面から左側へ向かって延びる略円柱形状に形成されている。
【０１５３】
第２嵌合ボス１３２は、リンク部材１２７の下端部の左面から左側へ向かって延びる略円柱形状に形成されている。
【０１５４】
リンクカバー１２６は、リンク部材１２７の左側において、収容フレーム５１の内面に支持されている。リンクカバー１２６は、側面視略矩形の平板形状に形成されている。リンクカバー１２６には、第１ガイド溝１２８と第２ガイド溝１２９とが形成されている。
【０１５５】
第１ガイド溝１２８は、リンクカバー１２６の上端部の前後方向中央に配置されている。第１ガイド溝１２８は、リンクカバー１２６を左右方向に貫通し、上下方向に延びる側面視略直線形状に形成されている。第１ガイド溝１２８内には、第１嵌合ボス１３１が嵌合されている。
【０１５６】
第２ガイド溝１２９は、リンクカバー１２６の下端部に配置されている。第２ガイド溝１２９は、リンクカバー１２６を左右方向に貫通し、左右方向に延びる側面視略直線形状に形成されている。第２ガイド溝１２９は、現像離間カム８３の被当接部１０４の前側に対向配置されている。第２ガイド溝１２９内には、第２嵌合ボス１３２が、左側へ突出するように嵌合されている。
【０１５７】
また、リンク部材１２７は、ねじりコイルばね１３３により、常には、後側へ向かって付勢されている。
【０１５８】
ねじりコイルばね１３３は、リンクカバー１２６の左側に配置されている。ねじりコイルばね１３３は、その一端部が、収容フレーム５１内に固定され、その他端部が、第２嵌合ボス１３２に前側から当接されている。
（３−５）画像形成動作時における直動カム機構の状態
上記した画像形成動作時には、トップカバー５２は、閉鎖位置に配置されている
このとき、ダンパ１１１は、図６に示すように、前後方向に沿って延びるように傾倒されている。そして、ダンパ１１１の揺動アーム１１０は、その下端部が揺動部材１１２の上端部に近接するように、屈曲部分Ｅから後下側へ向かって延び、連結部材１１３を後側へ押圧している。
【０１５９】
また、揺動部材１１２は、連結部材嵌合溝１２１において連結部材１１３の揺動部材連結ボス１２４によって後側へ押圧され、その上端部１２２よりも後側に押圧ボス１２０が配置されるように、前上側と後下側とに延びている。また、揺動部材１１２の押圧ボス１２０は、駆動解除カム８２の連動部９５Ａ内に嵌合されており、連動部９５Ａの後側内面９７を後側へ押圧している。
【０１６０】
これにより、駆動解除カム８２は、引張ばね１００およびねじりコイルばね１０１の付勢力に抗して駆動伝達位置に配置されている。
【０１６１】
このとき、図７に示すように、すべての本体側現像カップリング５６の移動シャフト６７は、鍔部７０が駆動解除カム８２の現像側カム部８８の変位部９１の前側に配置されることにより、圧縮ばね７１の付勢力によって、進出位置に配置されている。このとき、すべての本体側現像カップリング５６の移動シャフト６７の結合凸部６９は、対応する現像カップリング４５の結合凹部４７内に嵌合されている。これにより、すべての本体側現像カップリング５６は、対応する現像カップリング４５に対して相対回転不能に連結されている。
【０１６２】
また、すべての本体側ドラムカップリング５５の移動シャフト６１は、鍔部６４が駆動解除カム８２のドラム側カム部９０の変位部９３の前側に配置されることにより、圧縮ばね６５の付勢力によって、進出位置に配置されている。このとき、すべての本体側ドラムカップリング５５の移動シャフト６１の嵌合凸部６３は、対応する感光ドラム１１の左側のフランジ部材４１の嵌合凹部４２内に嵌合されている。これにより、すべての本体側ドラムカップリング５５は、対応する感光ドラム１１の左側のフランジ部材４１に対して相対回転不能に連結されている。
【０１６３】
また、図６に示すように、リンク部材１２７は、その上端部が駆動解除カム８２によって後側へ押圧されることにより、駆動解除カム８２の後端部から前下側へ延びるように配置されている。
４．画像形成モード切り替え動作
このプリンタ１では、上記した画像形成動作において、画像形成の準備をする印刷待機モードと、モノクロ画像を形成するモノクロ印刷モードと、カラー画像を形成するカラー印刷モードとを切り替えることができる。
（１）印刷待機モード
プリンタ１は、カラー画像およびモノクロ画像のいずれの画像も形成しないで、画像形成の準備をするときには、印刷待機モードに設定される。
【０１６４】
プリンタ１が印刷待機モードのときには、図８に示すように、現像離間カム８３は、最も前側の第２作用位置の一例としての第１位置に配置されている。
【０１６５】
また、すべての本体側離間部材８４は、係合突起１０９が、対応する係合溝１０３の後側において、現像離間カム８３の上面に当接されることにより、押圧位置に配置されている。
【０１６６】
また、すべてのカートリッジ側離間部材３３は、対応する本体側離間部材８４の押圧アーム１０７によって前端部が後下側へ押圧されることにより、その後端部において、離間係合部４９を後下側から押圧している。
【０１６７】
これにより、すべての現像カートリッジ１０の現像ローラ１３は、対応する感光ドラム１１から前上側へ離間されている。
（２）モノクロ印刷モード
モノクロ画像を形成するときには、プリンタ１は、モノクロ印刷モードに設定される。
【０１６８】
プリンタ１をモノクロ印刷モードへ変更するには、ピニオンギア（図示せず）を介してラック部１０２に駆動力を入力し、図９に示すように、現像離間カム８３を、第１位置から後側へ移動させて、第２位置に配置させる。
【０１６９】
すると、ブラックの現像カートリッジ１０に対応する本体側離間部材８４は、最後方の係合溝１０３の後端部内に嵌合されるように左側面視時計回りに揺動され、押圧解除位置に配置される。
【０１７０】
すると、ブラックのドラムカートリッジ９のカートリッジ側離間部材３３は、対応する本体側離間部材８４からの押圧が解除されることにより、左側面視反時計回りに回動され、離間係合部４９から後下側へ離間される。
【０１７１】
これにより、ブラックの現像カートリッジ１０の現像ローラ１３は、対応する感光ドラム１１に前上側から接触される。一方、カラーの現像カートリッジ１０の現像ローラ１３は、上記した印刷待機モードと同様に、対応する感光ドラム１１から前上側へ離間されている。
（３）カラー印刷モード
カラー画像を形成するときには、プリンタ１は、カラー印刷モードに設定される。
【０１７２】
プリンタ１をカラー印刷モードに変更するには、ピニオンギア（図示せず）を介してラック部１０２に駆動力を入力し、図１０に示すように、現像離間カム８３を、第２位置から後側へ移動させて、第３位置に配置させる。
【０１７３】
すると、カラーの現像カートリッジ１０に対応する本体側離間部材８４は、対応する係合溝１０３内に嵌合されるように左側面視時計回りに揺動され、押圧解除位置に配置される。
【０１７４】
すると、カラーのドラムカートリッジ９のカートリッジ側離間部材３３は、対する本体側離間部材８４からの押圧が解除されることにより、左側面視反時計回りに回動され、離間係合部４９から後下側へ離間される。
【０１７５】
これにより、すべての現像カートリッジ１０の現像ローラ１３が対応する感光ドラム１１に前上側から接触される。
５．トップカバーの開閉
（１）トップカバーの開動作
トップカバー５２を閉鎖位置から開放位置へ向かって開口部５３から上側へ離間させると、図１１に示すように、ダンパ１１１は、ロッド１１５の前端部がトップカバー５２の揺動に追従して上側へ引っ張られることにより、左側面視反時計回りに揺動される。
【０１７６】
すると、ダンパ１１１の揺動アーム１１０は、屈曲部分Ｅを支点として左側面視反時計回りに揺動され、連結部材１１３を前側へ向かって引っ張る。
【０１７７】
すると、揺動部材１１２は、連結部材嵌合溝１２１において連結部材１１３の揺動部材連結ボス１２４によって前側へ引っ張られて、左側面視反時計回りに揺動され、押圧ボス１２０において駆動解除カム８２の連動部９５Ａの前側内面９８を前側へ押圧する。
【０１７８】
すると、駆動解除カム８２は、駆動伝達位置から駆動解除位置へ向かって前側へ移動される。なお、このとき、引張ばね１００およびねじりコイルばね１０１の付勢力は、駆動解除カム８２の移動を補助する。
【０１７９】
駆動解除カム８２が前側へ移動されると、リンク部材１２７は、連結ボス１３０において前側へ引っ張られて、左側面視時計回りに回動される。
【０１８０】
このとき、第２嵌合ボス１３２は、リンクカバー１２６の第２ガイド溝１２９に案内されて、前側から後側へ向かって水平に移動される。
【０１８１】
なお、リンク部材１２７が左側面視時計回りに回動されるときには、連結ボス１３０は、第２嵌合ボス１３２が第１嵌合ボス１３１よりも前側にあるときには、第２嵌合ボス１３２が後側へ移動されるに従って、第２リンク溝９６内を上側へスライドし、第２嵌合ボス１３２が第１嵌合ボス１３１よりも後側にあるときには、第２嵌合ボス１３２が後側へ移動されるに従って、第２リンク溝９６内を下側へスライドする。
【０１８２】
また、第１嵌合ボス１３１は、第２嵌合ボス１３２が第１嵌合ボス１３１よりも前側にあるときには、第２嵌合ボス１３２が後側へ移動されるに従って、第１ガイド溝１２８内を上側へスライドし、第２嵌合ボス１３２が第１嵌合ボス１３１よりも後側にあるときには、第２嵌合ボス１３２が後側へ移動されるに従って、第１ガイド溝１２８内を下側へスライドする。
【０１８３】
これにより、リンク部材１２７の当接部１３４は、前側から後側へ向かって水平に移動される。そして、リンク部材１２７の当接部１３４は、現像離間カム８３の被当接部１０４に前側から当接され、リンク部材１２７の左側面視時計回りの回動に伴って現像離間カム８３の被当接部１０４を後側へ押圧する。
【０１８４】
すると、リンク部材１２７の左側面視時計回りの回動に伴って、現像離間カム８３が、第３位置よりも後側へ移動される。
【０１８５】
すると、すべての本体側離間部材８４は、対応する係合溝１０３内に嵌合された状態で、さらに左側面視時計回りに揺動される。
【０１８６】
そして、さらにトップカバー５２を閉鎖位置から開放位置へ移動させると、さらに揺動部材１１２が左側面視反時計回りに揺動され、駆動解除カム８２が前側へ移動される。また、さらにリンク部材１２７が左側面視時計回りに揺動され、現像離間カム８３が後側へ移動される。
【０１８７】
すると、図１２に示すように、揺動部材１１２の押圧ボス１２０は、第１リンク溝９５の屈曲部９９を上側へ乗り越えて連動解除部９５Ｂ内に嵌合される。また、駆動解除カム８２が駆動解除位置に配置される。
【０１８８】
なお、このときのトップカバー５２の位置が、第１開位置の一例である。
【０１８９】
このとき、収容フレーム５１の上端縁に沿って延びる仮想線Ａ１と、トップカバー５２の下端縁に沿って延びる仮想線Ａ２とが形成する角度θ２は、例えば、２０°である。
【０１９０】
また、このとき、収容フレーム５１の上端縁の前端部５１Ａと、トップカバー５２の下端縁の前端縁５２Ａとの距離Ｄ２は、例えば、１１〜１５ｃｍ、より具体的には、１３ｃｍである。
【０１９１】
また、このとき、図１３に示すように、すべての本体側現像カップリング５６の移動シャフト６７は、鍔部７０が駆動解除カム８２の現像側カム部８８の保持部９２に左側から当接されることにより、圧縮ばね７１の付勢力に抗して、退避位置に配置されている。これにより、すべての本体側現像カップリング５６は、対応する現像カップリング４５に対する連結を解除されている。
【０１９２】
また、すべての本体側ドラムカップリング５５の移動シャフト６１は、鍔部６４が駆動解除カム８２のドラム側カム部９０の保持部９４に左側から当接されることにより、圧縮ばね６５の付勢力に抗して、退避位置に配置されている。これにより、すべての本体側ドラムカップリング５５は、対応する感光ドラム１１の左側のフランジ部材４１に対する連結を解除されている。
【０１９３】
また、図１４に示すように、現像離間カム８３が最も後側の第２作用解除位置の一例としての第４位置に配置され、すべての本体側離間部材８４は、退避位置に配置される。
【０１９４】
そして、さらにトップカバー５２を閉鎖位置から開放位置へ移動させると、さらに揺動部材１１２が左側面視反時計回りに揺動される。
【０１９５】
このとき、揺動部材１１２の押圧ボス１２０は、連動解除部９５Ｂの前側内面９８に沿って左側面視反時計回りに移動される。つまり、揺動部材１１２の押圧ボス１２０は、連動解除部９５Ｂの前側内面９８を押圧しない。
【０１９６】
このように、駆動解除カム８２が駆動解除位置に配置された後には、トップカバー５２と駆動解除カム８２との連動が解除されている。
【０１９７】
そして、さらにトップカバー５２を閉鎖位置から開放位置へ移動させると、図１５に示すように、トップカバー５２が開放位置に配置される。
【０１９８】
なお、ユーザは、トップカバー５２が開放位置に配置された状態で、収容フレーム５１の開口部５３を介して、プロセスカートリッジ５を本体ケーシング２に対して着脱する。
（２）トップカバーの閉動作
トップカバー５２を開放位置から閉鎖位置へ移動させると、ダンパ１１１が、トップカバー５２の揺動に追従して左側面視時計回りに揺動される。
【０１９９】
すると、ダンパ１１１の揺動アーム１１０は、屈曲部分Ｅを支点として左側面視時計回りに揺動され、連結部材１１３を後側へ向かって押圧する。
【０２００】
すると、揺動部材１１２は、連結部材嵌合溝１２１において連結部材１１３の揺動部材連結ボス１２４によって後側へ押圧され、左側面視時計回りに揺動される。
【０２０１】
このとき、揺動部材１１２の押圧ボス１２０は、連動解除部９５Ｂの前側内面９８に沿って左側面視時計回りに移動される。つまり、トップカバー５２と駆動解除カム８２とは連動しない。
【０２０２】
そして、さらにトップカバー５２を開放位置から閉鎖位置へ移動させると、図１２に示すように、さらに揺動部材１１２が左側面視時計回りに揺動され、図１１に示すように、揺動部材１１２の押圧ボス１２０が、連動部９５Ａ内に嵌合される。
【０２０３】
そして、さらにトップカバー５２を開放位置から閉鎖位置へ移動させると、さらに揺動部材１１２が左側面視時計回りに揺動され、揺動部材１１２の押圧ボス１２０が、連動部９５Ａの後側内面９７を後側へ押圧する。
【０２０４】
すると、駆動解除カム８２は、引張ばね１００およびねじりコイルばね１０１の付勢力に抗して、駆動解除位置から駆動伝達位置へ向かって後側へ移動される。
【０２０５】
駆動解除カム８２が後側へ移動されると、リンク部材１２７は、連結ボス１３０において後側へ押圧されて、左側面視反時計回りに回動される。
【０２０６】
このとき、第２嵌合ボス１３２は、リンクカバー１２６の第２ガイド溝１２９に案内されて、後側から前側へ向かって水平に移動される。
【０２０７】
なお、リンク部材１２７が左側面視反時計回りに回動されるときには、連結ボス１３０は、第２嵌合ボス１３２が第１嵌合ボス１３１よりも後側にあるときには、第２嵌合ボス１３２が前側へ移動されるに従って、第２リンク溝９６内を上側へスライドし、第２嵌合ボス１３２が第１嵌合ボス１３１よりも前側にあるときには、第２嵌合ボス１３２が前側へ移動されるに従って、第２リンク溝９６内を下側へスライドする。
【０２０８】
また、第１嵌合ボス１３１は、第２嵌合ボス１３２が第１嵌合ボス１３１よりも後側にあるときには、第２嵌合ボス１３２が前側へ移動されるに従って、第１ガイド溝１２８内を上側へスライドし、第２嵌合ボス１３２が第１嵌合ボス１３１よりも前側にあるときには、第２嵌合ボス１３２が前側へ移動されるに従って、第１ガイド溝１２８内を下側へスライドする。
【０２０９】
これにより、リンク部材１２７の当接部１３４は、後側から前側へ向かって水平に移動される。そして、リンク部材１２７の当接部１３４は、現像離間カム８３の被当接部１０４から前側に離間される。つまり、現像離間カム８３は、トップカバー５２の閉動作には連動されず、第４位置に配置されている。
【０２１０】
そして、さらにトップカバー５２を開放位置から閉鎖位置へ移動させて、図６に示すように、トップカバー５２を閉鎖位置に配置させると、駆動解除カム８２が駆動伝達位置に配置される。
【０２１１】
なお、現像離間カム８３は、トップカバー５２が閉鎖位置に配置された後、ピニオンギア（図示せず）を介してラック部１０２に入力される駆動力により第４位置から前側へ移動され、上記した第１位置、第２位置および第３位置のいずれかの位置に移動される。
６．作用効果
（１）このプリンタ１によれば、図１２および図１３に示すように、トップカバー５２を閉鎖位置から開放位置へ揺動させる途中において、現像カップリング４５に対する本体側現像カップリング５６の連結、および、感光ドラム１１の左側のフランジ部材４１に対する本体側ドラムカップリング５５の連結を解除することができる。
【０２１２】
そのため、トップカバー５２を開放位置へ揺動させる途中で、ユーザがプロセスカートリッジ５を本体ケーシング２から離脱させたとしても、プロセスカートリッジ５と、本体側現像カップリング５６や本体側ドラムカップリング５５とが干渉することを防止できる。
【０２１３】
その結果、プロセスカートリッジ５、本体側現像カップリング５６および本体側ドラムカップリング５５が破損することを抑制できる。
（２）また、このプリンタ１によれば、図１１および図１２に示すように、駆動解除カム８２の第１リンク溝９５は、連動部９５Ａにおいて、揺動部材１１２の押圧ボス１２０によって押圧される一方、連動解除部９５Ｂにおいて、揺動部材１１２の押圧ボス１２０からの押圧力を受けない。
【０２１４】
そのため、簡易な構成で、トップカバー５２の閉鎖位置から開放位置への揺動に連動して、駆動解除カム８２を駆動伝達位置から駆動解除位置へ移動させることができながら、トップカバー５２が閉鎖位置から開放位置へ移動される途中で、トップカバー５２と駆動解除カム８２との連動を解除することができる。
【０２１５】
そのため、簡易な構成で、プロセスカートリッジ５、本体側現像カップリング５６および本体側ドラムカップリング５５が破損することを抑制できる。
（３）また、このプリンタ１によれば、図５に示すように、揺動部材１１２の押圧ボス１２０は、揺動部材１１２の左面から左側へ突出する凸部であり、駆動解除カム８２の第１リンク溝９５は、駆動解除カム８２の右面から左側へ凹む凹部である。そして、押圧ボス１２０は、第１リンク溝９５内に嵌合されている。
【０２１６】
そのため、押圧ボス１２０を第１リンク溝９５でガイドすることができ、簡易な構成で、トップカバー５２と駆動解除カム８２とを円滑に連動させることができる。
（４）また、このプリンタ１によれば、図１２に示すように、連結部材１１３を介して、ダンパ１１１の揺動に連動させて、揺動部材１１２を容易に揺動させることができる。
【０２１７】
また、連結部材１１３が、揺動部材１１２の上端部１２２と押圧ボス１２０との間において、揺動部材１１２に連結されているので、連結部材１１３の移動距離に対して、押圧ボス１２０を大きく移動させることができる。
【０２１８】
その結果、第１リンク機構８５を小さなスペースで動作させることができながら、駆動解除カム８２の移動距離を確保することができる。
（５）また、このプリンタ１によれば、図１１および図１２に示すように、第１リンク溝９５は、連動部９５Ａにおいて、揺動部材１１２の押圧ボス１２０の揺動軌跡に交差するように上下方向に延びる前側内面９８を有し、連動解除部９５Ｂにおいて、押圧ボス１２０の揺動軌跡に沿って、前上側へ向かって略円弧形状に延びる前側内面９８を有している。
【０２１９】
そのため、まず、押圧ボス１２０と、連動部９５Ａの前側内面９８とが対向しているときには、押圧ボス１２０を揺動させることにより、連動部９５Ａの前側内面９８を押圧して、駆動解除カム８２を移動させることができる。
【０２２０】
一方、押圧ボス１２０と、連動解除部９５Ｂの前側内面９８とが対向しているときには、押圧ボス１２０が連動解除部９５Ｂの前側内面９８に沿って揺動するので、押圧ボス１２０の第１リンク溝９５に対する押圧を解除して、駆動解除カム８２を停止させることができる。
【０２２１】
これにより、簡易な構成で、押圧ボス１２０による駆動解除カム８２の押圧および押圧解除を連続的に実施することができる。
（７）また、このプリンタ１によれば、図６に示すように、駆動解除カム８２を駆動伝達位置から駆動解除位置へ向かって前側へ付勢するねじりコイルばね１０１および引張ばね１００を備えている。
【０２２２】
そのため、ねじりコイルばね１０１および引張ばね１００により、駆動解除カム８２の駆動解除位置への移動を補助することができる。
（８）また、このプリンタ１によれば、図１２に示すように、駆動解除カム８２を駆動解除位置に移動させるときに、現像離間カム８３も、本体側離間部材８４をカートリッジガイド溝５７内から退避させる第４位置に移動させることができる。
【０２２３】
そのため、互いに異なる部分に作用する本体側現像カップリング５６、本体側ドラムカップリング５５および本体側離間部材８４を、トップカバー５２の揺動に連動させて、プロセスカートリッジ５に干渉（作用）しないように、一度にカートリッジガイド溝５７内から退避させることができる。
【０２２４】
その結果、互いに異なる部分に作用する本体側現像カップリング５６、本体側ドラムカップリング５５および本体側離間部材８４を備える構成において、プロセスカートリッジ５、本体側現像カップリング５６、本体側ドラムカップリング５５および本体側離間部材８４が破損することを抑制できる。
（９）また、このプリンタ１によれば、図１１および図１２に示すように、リンク部材１２７を揺動させるときに、駆動解除カム８２に対して連結される連結ボス１３０を上下にスライドさせながら揺動させることができる。
【０２２５】
そのため、リンク部材１２７を小さなスペースで揺動させることができながら、リンク部材の当接部１３４を大きく移動させることができ、現像離間カム８３の移動距離を確保することができる。
（１０）また、このプリンタ１によれば、図１３および図１４に示すように、トップカバー５２を閉鎖位置から開放位置へ揺動させる途中で、現像カップリング４５に対する本体側現像カップリング５６の連結、および、感光ドラム１１の左側のフランジ部材４１に対する本体側ドラムカップリング５５の連結を解除することができるとともに、本体側離間部材８４による現像ローラ１３の感光ドラム１１からの離間を解除することができる。
（１１）また、このプリンタ１によれば、ダンパ１１１により、トップカバー５２の閉鎖位置への移動を緩衝することができる。
７．変形例
上記した実施形態では、駆動解除カム８２をトップカバー５２に連動させ、現像離間カム８３を駆動解除カム８２に連動させているが、例えば、現像離間カム８３をトップカバー５２に連動させ、駆動解除カム８２を現像離間カム８３に連動させることもできる。
【０２２６】
この場合、現像離間カム８３が作用部材の一例であり、駆動解除カム８２が第２作用部材の一例である。
【符号の説明】
【０２２７】
１      プリンタ
２      本体ケーシング
５      プロセスカートリッジ
１１    感光ドラム
１３    現像ローラ
４１    フランジ部材
４５    現像カップリング
５１    収容フレーム
５２    トップカバー
５３    開口部
５５    本体側ドラムカップリング
５６    本体側現像カップリング
８２    駆動解除カム
８３    現像離間カム
８４    本体側離間部材
８５    第１リンク機構
８６    第２リンク機構
９５    第１リンク溝
９６    第２リンク溝
１００  引張ばね
１０１  ねじりコイルばね
１１１  ダンパ
１１２  揺動部材
１１３  連結部材
１２０  押圧ボス
１３０  連結ボス
１３１  第１嵌合ボス
１３４  当接部
【図１】
2014071367.tif 000003
【図２】
2014071367.tif 000004
【図３】
2014071367.tif 000005
【図４】
2014071367.tif 000006
【図５】
2014071367.tif 000007
【図６】
2014071367.tif 000008
【図７】
2014071367.tif 000009
【図８】
2014071367.tif 000010
【図９】
2014071367.tif 000011
【図１０】
2014071367.tif 000012
【図１１】
2014071367.tif 000013
【図１２】
2014071367.tif 000014
【図１３】
2014071367.tif 000015
【図１４】
2014071367.tif 000016
【図１５】
2014071367.tif 000017